(57)【要約】【課題】エッチ液の試験などのために全体の供給配管やスプレー式湿し装置に湿し水を供給することなく、簡易的に一部のスプレー式湿し装置に湿し水を提供できる装置を提供する。【解決手段】印刷ユニットの少なくとも１つのスプレー式湿し装置に湿し水を供給する可搬型のスプレー湿し水供給装置であって、水槽と、液送ポンプと、フィルタハウジングとを備え、調製された湿し水を水槽から液送ポンプ、フィルタハウジングを介し、該湿し水を送る液送管が接続され、該液送管の先端に接続部材が取り付けられ、少なくとも前記水槽、液送ポンプ、フィルタハウジングが基台に据付けられ、前記基台は走行が可能であることを特徴とする可搬型のスプレー湿し水供給装置。【選択図】図１
2017081005.tif 000002
【特許請求の範囲】
【請求項１】
印刷ユニットの少なくとも１つのスプレー式湿し装置に湿し水を供給する可搬型のスプレー湿し水供給装置であって、
水槽と、液送ポンプと、フィルタハウジングとを備え、
調製された湿し水を水槽から液送ポンプ、フィルタハウジングを介し、該湿し水を送る液送管が接続され、
該液送管の先端に接続部材が取り付けられ、
少なくとも前記水槽、液送ポンプ、フィルタハウジングが基台に据付けられ、前記基台は走行が可能であることを特徴とする可搬型のスプレー湿し水供給装置。
【請求項２】
印刷ユニットの少なくとも１つのスプレー式湿し装置に湿し水を供給する湿し水供給方法であって、
水槽と、液送ポンプと、フィルタハウジングとを備え、
調製された湿し水を水槽から液送ポンプ、フィルタハウジングを介し、該湿し水を送る液送管が接続された湿し水供給機構と、
該液送管の先端に接続部材が取り付けられた接続機構と、
少なくとも前記水槽、液送ポンプ、フィルタハウジングが基台に据付けられ、前記基台は走行を可能とした可搬機構と、
を備えた可搬型のスプレー湿し水供給装置を用い、
前記接続機構に前記印刷ユニットの少なくとも１つのスプレー式湿し装置を接続することを特徴とする湿し水供給方法。
【発明の詳細な説明】
【技術分野】
【０００１】
本発明は、オフセット印刷機の刷版面又は刷版に至るローラーの周面に、湿し水をノズルから噴霧して供給するスプレー式湿し装置に用いるスプレー湿し水供給装置およびその装置を用いた湿し水供給方法に関する。
【背景技術】
【０００２】
オフセット印刷は、本質的に水と油が混じり合わない性質を利用した印刷方式であり、オフセット印刷の版面は、水を受容し油性インキを反発する範囲である非画像部と、水を反発し油性インキを受容する範囲である画像部からなる。非画像部の形成に用いられる水は湿し水と呼ばれるが、非画像部と画像部との間に界面化学的な差を拡大し非画像領域のインキ反発性と画像領域のインキ受容性とを増大させるために、湿し水には様々な化学物質が添加され、供されている。
【０００３】
オフセット印刷は前記のような機構で印刷が行われるため、常に適正な量の湿し水を均一に版面に供給する必要があり、そのためにオフセット印刷機には湿し装置が備えられている。湿し装置には様々な種類があるが、とりわけ、新聞印刷に用いられるオフセット新聞輪転機には、特許文献１の図３に示されるように印刷ユニット内の４色両面８箇所（図中５１）にスプレー式湿し装置（スプレー式湿し水供給装置、スプレーバー、スプレーバーユニットなどとも呼ばれる）を備えるのが一般的である。
【０００４】
また、非特許文献１のｐ５６（図３−３８）に示されるように、加圧ポンプで印刷ユニット内の各スプレー式湿し装置（スプレーバー）に湿し水を送る加圧給水装置を設置している。この加圧給水装置には、原水（水道水）の硬度成分を除去するためのイオン交換樹脂を通して軟水化処理した軟水とエッチ液を混合して湿し水とするミキシングタンクと、混合した湿し水を各スプレーバーに送る加圧ポンプを有している。また、湿し水の温度を一定にする冷却装置を有する場合もある。さらに、軟水化装置では取り除けない塩素や炭酸などを取り除く目的で逆浸透膜などを利用した純水装置を使用する場合もある。
【０００５】
現在、湿し水は中性エッチ液を使用することが主流となり、ｐＨ７付近に調製されるように環境に配慮した設計となっている。一方で、中性領域であることから、バクテリアやカビなどの微生物が生育しやすい環境でもあるため、水の腐敗や微生物の死骸の集積などによるスライムの発生やスプレーノズルのつまりなどが問題となっている。そのために、ミキシングタンクに紫外線殺菌装置を設置したり、湿し水に防腐剤を添加したりすることもあるが、もっとも重要なのはエッチ液の添加濃度を常に適正に保つことであり、エッチ液メーカーの推奨する希釈率を参考に、使用する輪転機にもっとも適切な添加濃度を求めて、それを維持することが必要となる。すなわち、いったんエッチ液を設定したら、それを変更することが困難であるということである。
【０００６】
新聞のような多ページとする場合、新聞印刷会社では前記特許文献１の図３のような印刷ユニット（通常１ユニットで両面８ページ印刷できる）を複数台並べ、これを１セットとして、印刷を行なうことが多いが、これら複数の印刷ユニットごとに前記加圧給水装置を設置することは設備投資、設置場所（通常印刷室から離れた別室や別の階層など）、管理（調製やメンテナンスなど）などの制約があるため、通常１セットに１台の加圧給水装置を設置し一元管理することが多い。すなわち、このことは、複数台ある印刷ユニット内のスプレー式湿し装置すべてに同じ湿し水を供給しなければならないということである。
【０００７】
このように、１セットごとに固有の湿し水を使用しなければならず、印刷ユニットが複数台あっても、あるいは使用するインキのタイプ（メーカーやインキの性状など）の違いがあっても、これらすべてのスプレー式湿し装置には同じ湿し水を供給しなければならないことを余儀なくされている。仮に、印刷会社が、メーカーが推奨する改良エッチ液や新製品のエッチ液（以下、「改良湿し水」ともいう）を試験的に使用したい場合や、あるいは一部の印刷ユニットを使用して改良湿し水の試験をしたい場合においては、１セットごとに設置された既存の加圧給水装置内のミキシングタンクを使用することになるため、供給配管内を既存の湿し水から改良湿し水に置換する必要があり、１セット全体に改良湿し水を供給しなければならない。あるいは、一部の印刷ユニットを使用して改良湿し水の試験をしたい場合においても、他の使用しない印刷ユニットのスプレー式湿し装置に供給する手前でコックやバルブなどで供給されないように遮断したとしても、少なくともそこまでに至る供給配管内は改良湿し水で置換する必要がある。
【先行技術文献】
【特許文献】
【０００８】
【特許文献１】特開２００８−９０４４２号公報
【非特許文献１】新聞インキハンドブック第３版  ｐ５５〜６０（日本新聞協会、日本新聞協会技術委員会編集、２０１５年４月発行）
【発明の概要】
【発明が解決しようとする課題】
【０００９】
そこで、本発明は、エッチ液の試験などのためにすべてのスプレー式湿し装置や全体の供給配管に湿し水を供給することなく、簡易的に一部のスプレー式湿し装置に湿し水を提供できる装置を提供することを目的とする。
【課題を解決するための手段】
【００１０】
本発明者らは、接続部材が備えられ、水槽、液送ポンプ、フィルタハウジングが基台に据付けられ、前記基台が走行可能である可搬型のスプレー湿し水供給装置とすることにより、上記目的を達成できることを見出し、本発明を完成するに至った。
【００１１】
すなわち、本発明は、
（１）印刷ユニットの少なくとも１つのスプレー式湿し装置に湿し水を供給する可搬型のスプレー湿し水供給装置であって、水槽と、液送ポンプと、フィルタハウジングとを備え、調製された湿し水を水槽から液送ポンプ、フィルタハウジングを介し、該湿し水を送る液送管が接続され、該液送管の先端に接続部材が取り付けられ、少なくとも前記水槽、液送ポンプ、フィルタハウジングが基台に据付けられ、前記基台は走行が可能であることを特徴とする可搬型のスプレー湿し水供給装置、
（２）印刷ユニットの少なくとも１つのスプレー式湿し装置に湿し水を供給する湿し水供給方法であって、水槽と、液送ポンプと、フィルタハウジングとを備え、調製された湿し水を水槽から液送ポンプ、フィルタハウジングを介し、該湿し水を送る液送管が接続された湿し水供給機構と、該液送管の先端に接続部材が取り付けられた接続機構と、少なくとも前記水槽、液送ポンプ、フィルタハウジングが基台に据付けられ、前記基台を走行可能とした可搬機構と、を備えた可搬型のスプレー湿し水供給装置を用い、前記接続機構に前記印刷ユニットの少なくとも１つのスプレー式湿し装置を接続することを特徴とする湿し水供給方法、
に関するものである。
【発明の効果】
【００１２】
本発明によれば、従来のような印刷ユニット内のスプレー式湿し装置全体に供給する必要がなくなり、可搬型およびコンパクトで、少なくとも１つのスプレー式湿し装置に湿し水を供給できる。また、一部のスプレー式湿し装置に湿し水を供給できることから、他の印刷ユニットに関係なくエッチ液の試験などが行なうことができる。
【図面の簡単な説明】
【００１３】
【図１】本発明の可搬型のスプレー湿し水供給装置と印刷ユニットのスプレー式湿し装置を示した概略図である。
【図２】本発明の可搬型のスプレー湿し水供給装置についてその一例を示した概略図である。
【図３】本発明の可搬型のスプレー湿し水供給装置と印刷ユニットの概略構成を示した図である。
【図４】従来のスプレー湿し水供給装置と印刷ユニットの概略構成を示した図である。
【発明を実施するための形態】
【００１４】
本発明の可搬型のスプレー湿し水供給装置は、印刷ユニットの少なくとも１つのスプレー式湿し装置に湿し水を供給する可搬型のスプレー湿し水供給装置であって、水槽と、液送ポンプと、フィルタハウジングとを備え、調製された湿し水を水槽から液送ポンプ、フィルタハウジングを介し、該湿し水を送る液送管が接続され、該液送管の先端に接続部材が取り付けられ、少なくとも前記水槽、液送ポンプ、フィルタハウジングが基台に据付けられ、前記基台は走行が可能であることを特徴とする。
【００１５】
図１は、本発明の可搬型のスプレー湿し水供給装置と印刷ユニットのスプレー式湿し装置を示した概略図である。調製された湿し水は、水槽４から液送ポンプ６を介し、フィルタハウジング７を経て、液送管１７を通し、該液送管の先端の接続部材１３により、印刷ユニット２内にあるスプレー式湿し装置３側の湿し水供給管１８の先端の接続部材と接続され、該スプレー式湿し装置のスプレーノズル１４から被スプレーローラ１６に向かって噴霧される。ドレンパン１５は、湿し水を噴霧した際に、被スプレーローラ１６に付着せず、落下したものや、水滴となって落下した湿し水を受ける皿状の部材であり、ドレン用の開孔を有するものである。
【００１６】
水槽４は、軟水化装置や純水装置からの軟水や純水または原水（水道水）あるいは別途調製済みの湿し水を供給するための配管を有し、補給バルブ９によって、補給することが好ましい。軟水や純水または原水（水道水）の場合、水槽４内でエッチ液と混合し、湿し水を調製する。また、補給用ボールタップ５を有してもよい。補給用ボールタップ５をセンサーとして、利用できるようにしてもよく、水位レベルを感知して、補給バルブ９を開閉し、自動で軟水や純水または原水（水道水）あるいは湿し水を供給するようにしてもよい。前記水槽４は、可搬可能な程度の大きさの基台に設置できる大きさであることが好ましく、内容量として、２０〜５０リットル程度がより好ましく、３０〜３５リットル程度がさらに好ましい。
【００１７】
さらに、水槽４には、液送ポンプ６と接続する配管を有し、液送ポンプ吸込みバルブ１１によって、液送ポンプ６に湿し水を供給することが好ましい。また、湿し水を排出する配管を有してもよく、ドレンバルブ１１によって、湿し水を排出することが好ましい。
【００１８】
液送ポンプ６は、スプレー式湿し装置に供される容量が得られるものであればよく、その形状などはいずれでもよい。特に圧縮エアーにより稼動するものが、設置の簡便さや利便性、ミストなどの発生がない点などでより好ましい。また、液送ポンプ６は、液送ポンプ吐出バルブ１２を有してもよい。
【００１９】
フィルタハウジング７は、湿し水内の異物やごみなどを除去するために設けることが好ましい。液送ポンプ６の後に設けることがより好ましい。また、液送ポンプ６とフィルタハウジング７の間に圧力タンク（図示せず）を設けてもよい。
【００２０】
液送管１７は、水槽４から液送ポンプ６、フィルタハウジング７を介して接続されるもので、湿し水を通すことができるパイプ状の管であればよく、スチール、ステンレス、プラスチック、ゴムホースなどが利用できる。なかでも、耐圧ゴムホースがより好ましい。
【００２１】
フィルタハウジング７のうしろの液送管１７上に圧力計８を設けてもよい。圧力計８は、フィルタハウジング７により近い箇所に設けることがより好ましい。また、液送管１７上にレギュレータを設けることにより、圧力計８で、印刷ユニットのスプレー式湿し装置の加圧給水装置に準じた吐出圧力に調整することができる。
【００２２】
接続部材１３は、液送管１７の先端に取り付けられ、スプレー式湿し装置への湿し水供給管１８の先端に取り付けられた接続部材と接続される。接続部材１３は、カプラ、コック、バルブなど湿し水供給管側の接続部材に合わせて、適宜選択すればよい。通常、湿し水供給管側の接続部材はカプラが多いため、これに合わせたカプラを選択することが好ましい。
【００２３】
本発明の可搬型のスプレー湿し水供給装置は、少なくとも前記水槽、液送ポンプ、フィルタハウジングが基台に据付けられ、前記基台は走行が可能であることが好ましい。走行を可能にするために、キャスタ、ホイール、車輪などが取り付けられていることが好ましい。
【００２４】
図２は、本発明の可搬型のスプレー湿し水供給装置についてその一例を示した概略図である。基台２２に水槽４、液送ポンプ６、フィルタハウジング７が据付けられ、前記基台２２はキャスタ２３が取り付けられていることが好ましい。このことにより、可搬可能でコンパクトにできるため、印刷ユニット近傍に移動でき、設置することができる。さらに、液送管１７をより短くでき、低コスト、低ロス、短時間での利用が可能となる。
【００２５】
さらに、可搬型のスプレー湿し水供給装置の水槽４に、補助ポンプ１９を設け、予備タンク２１内に貯留しておいた調製済みの湿し水や軟水や純水または原水（水道水）を供給することもできる。このことにより、前記したように水槽４内の補給用ボールタップにて水位レベルを感知することにより、予備タンク２１内に貯留しておいた湿し水や原水などを供給できる。予備タンク２１は、テスト内容やテスト時間などにより、形状や容量を適宜決めることが好ましい。補助ポンプ１９も、予備タンク２１から水槽４に湿し水などを供給できる程度の容量を備えるものであればよく、形状などはいずれでもよい。補助ポンプ１９には、補助ポンプ吸込みバルブを備えてもよく、前記水位レベルの感知によって、自動で開閉するようにしてもよい。
【００２６】
図３および図４は、本発明の可搬型のスプレー湿し水供給装置と印刷ユニットおよび従来型のスプレー湿し水供給装置（加圧給水装置）と印刷ユニットそれぞれの概略構成を示した図である。
【００２７】
本発明の概略構成を示した図３は、印刷室２５で、可搬型のスプレー式湿し水供給装置を試験する印刷ユニット近傍に設置可能な状態であり、かつ液送管１７と該液送管の先端に取り付けられた接続部材１３により、一つのスプレー式湿し装置３に湿し水が供給され、該スプレー式湿し装置３から被スプレーローラ１６に噴霧している状態を示したものである。このことにより、改良湿し水の試験を一つのスプレー式湿し装置３で行うことができる。図３では、１つのスプレー式湿し装置３に接続した例を示しているが、液送管１７を分岐することにより、複数のスプレー式湿し装置への供給も可能である。さらに、図３では、同じ印刷室内に設置された例を示しているが、設置場所やスペースなどにより同室内に設置することが困難であっても、可搬型であることから、同階層の別室やスペースのある場所にも設置可能であり、あるいは別階層であっても、設置場所と印刷ユニットがなるべく近くなるような場所に設置することができる。しかも、従来型の湿し水との比較試験も容易となる。  
【００２８】
一方、従来型の概略構成を示した図４は、湿し水室２４内に、原水供給管２８から原水（水道水）が供給され軟水化処理する軟水化装置２６と、該装置により処理された軟水を軟水化供給管２９を通して供給される加圧給水装置２７と、が設置され、該加圧給水装置２７内のミキシングタンク（図示せず）内で湿し水を調製（通常、自動で調製される）し、さらに湿し水供給管１８により、印刷室２５内の複数台ある印刷ユニット２のスプレー式湿し装置３のすべてに湿し水を供給し、被スプレーローラ１６に噴霧している状態を示したものである。通常、湿し水室２４と印刷室２５は、離れていることが多く、湿し水供給管１８は、距離の長い配管設備となっているころが多い。このため、改良示し水の試験などを行なう場合でも、加圧給水装置２７内のミキシングタンク（図示せず）を利用しなければならず、すべてのスプレー式湿し装置３に湿し水が供給されてしまう。たとえ、テストに使用しない他のスプレー式湿し装置の供給配管を閉じて、一部の印刷ユニットの一部のスプレー式湿し装置を使用するようにしたとしても、前記同様に加圧給水装置２７内のミキシングタンク（図示せず）を利用しなければならず、少なくとも試験に使用する一部の印刷ユニットまでの湿し水供給管１８内は、改良湿し水で置換する必要が生じてしまう。
【００２９】
本発明の湿し水供給方法は、水槽と、液送ポンプと、フィルタハウジングとを備え、調製された湿し水を水槽から液送ポンプ、フィルタハウジングを介し、該湿し水を送る液送管が接続された湿し水供給機構と、該液送管の先端に接続部材が取り付けられた接続機構と、少なくとも前記水槽、液送ポンプ、フィルタハウジングが基台に据付けられ、前記基台を走行可能とした可搬機構と、を備えた可搬型のスプレー湿し水供給装置を用い、前記接続機構に前記印刷ユニットの少なくとも１つのスプレー式湿し装置を接続し、該スプレー式湿し装置に湿し水を供給することを特徴とする。
【００３０】
湿し水供給機構は、水槽４と、液送ポンプ６と、フィルタハウジング７と、を備え、調製された湿し水を水槽４から液送ポンプ６、フィルタハウジング７を介し、液送管１７に接続され、湿し水を供給する機構である。
【００３１】
可搬機構は、少なくとも水槽４、液送ポンプ６、フィルタハウジング７は基台２２に据付けられ、前記基台２２を走行可能とする機構である。可搬可能とするためにキャスタ２３、ホイール、車輪などが取り付けられる。
【００３２】
さらに、接続機構は、液送管１７の先端に、接続部材１３が取り付けられ、該接続部材と、スプレー式湿し装置３の湿し水供給管１８の先端に取り付けられた接続部材とを接続する機構である。接続部材１３と湿し水供給管側の接続部材とを接続する接続機構は、湿し水供給管側の接続部材に合わせた機構とすることが好ましい。通常、湿し水供給管側の接続部材はカプラが多いため、これに合わせたカプラを選択した接続機構とすることが好ましい。
【００３３】
本発明の湿し水供給方法は、これらの湿し水供給機構と、可搬機構と、接続機構とを備えた可搬型のスプレー湿し水供給装置を用い、前記接続機構に前記印刷ユニット２の少なくとも１つのスプレー式湿し装置３の接続部材と接続することによって、該スプレー式湿し装置３に湿し水を供給する方法である。このことにより、改良湿し水の試験を一部のスプレー式湿し装置３で行うことができ、低コスト、低ロス、短時間で行なうことができる湿し水供給方法として有用であり、従来型の湿し水との比較試験も容易となる湿し水供給方法としても有用である。
【産業上の利用可能性】
【００３４】
本発明の可搬型のスプレー湿し水供給装置および湿し水供給方法によれば、改良エッチ液や推奨エッチ液の試験を容易に、簡便に、低コストで行なうことができる装置および方法であるため、印刷会社にとって、印刷品質の向上や作業性の向上に寄与する効果がある。
【符号の説明】
【００３５】
１          スプレー湿し水供給装置
２          印刷ユニット
３          スプレー式湿し装置
４          水槽
５          補給用ボールタップ
６          液送ポンプ
７          フィルタハウジング
８          圧力計
９          補給バルブ
１０          ドレンバルブ
１１          液送ポンプ吸込みバルブ
１２          液送ポンプ吐出バルブ
１３          接続部材
１４          スプレーノズル
１５          ドレンパン
１６          被スプレーローラ
１７          液送管
１８          湿し水供給管
１９          補助ポンプ
２０          補助ポンプ吸込みバルブ
２１          予備タンク
２２          基台
２３          キャスタ
２４          湿し水室
２５          印刷室
２６          軟水化装置
２７          加圧給水装置
２８          原水供給管
２９          軟水供給管
【図１】
2017081005.tif 000003
【図２】
2017081005.tif 000004
【図３】
2017081005.tif 000005
【図４】
2017081005.tif 000006